(57)【要約】  飲み物容器用の飲料通過蓋である。蓋は、液体が飲料泉基部を満たすことができる飲料出口を提供し、その飲料出口から、消費者は、カップまたはマグを使用するのと同様に飲み物をすすることができる。基部は、飲み物容器の開口と封止して係合する大きさおよび形状とされる。中空隆起唇部が設けられ、基部から上向きに延在する外装部を有する。外側唇部が、下向きかつ内向きに傾斜する内側部を備えて設けられる。飲料泉基部は、下方端部に沿う周辺側から上向きに延在する傾斜した床を有してもよい。少なくとも１つの飲料出口が提供される。【選択図】図８
2015535779.tif 000002
【特許請求の範囲】
【請求項１】
開口端を含む飲み物カップ用の飲料通過蓋であって、
底縁および内部玉縁封止部を含む周縁を備え、前記飲み物カップの前記開口端に封止して係合する大きさおよび形状とされた基部と、
前記基部から上向きに延在する外装部、外側唇部、および、前記外側唇部から下方端部へと下向きに傾斜する内側部を含む中空隆起唇部と、
前記下方端部に隣接する周辺側から延在する床を含み、前記外側唇部の下方に配置された飲料泉基部と、
前記中空隆起唇部の前記内側部へと上向きに延在する第１の縁壁によって、および、前記周辺側に近接して前記飲料泉基部の出口部に沿って延在する細長い第２の縁壁によって定められ、少なくとも一部において、約４０度（約４０°）から約９０度（約９０°）までの範囲の角度アルファ（α）で前記細長い第２の縁壁から実質的に延在する第１の面に沿うかのように配向された少なくとも１つの飲料出口と
を備える飲料通過蓋。
【請求項２】
前記少なくとも１つの飲料出口は、少なくとも一部において、前記飲料泉基部の前記出口部から外向きに延在する第２の面に沿うかのように配向される、請求項１に記載の飲料通過蓋。
【請求項３】
前記少なくとも１つの飲料出口の前記細長い第２の縁壁、および、前記飲料泉基部の前記出口部は、幅Ｗ１に沿って接触している、請求項２に記載の飲料通過蓋。
【請求項４】
前記幅Ｗ１は、約５０パーセント（約５０％）の加減範囲において約２．５４ｃｍ（約１インチ）である、請求項３に記載の飲料通過蓋。
【請求項５】
前記少なくとも１つの飲料出口の前記細長い第２の縁壁は、外向きに弓形に曲げられた形状で提供される、請求項３に記載の飲料通過蓋。
【請求項６】
前記少なくとも１つの飲料出口は、Ｎが正の整数であるＯ１からＯＮまでの複数の一連の飲料出口のうち複数の飲料出口を含む、請求項３に記載の飲料通過蓋。
【請求項７】
Ｎが正の整数であるＯ１からＯＮまでの前記一連の飲料出口における前記少なくとも１つの飲料出口の各々と関連して、前記幅Ｗ１は、ｎが正の整数である複数の区分の幅ＷｉからＷｎまでを含む、請求項６に記載の飲料通過蓋。
【請求項８】
前記中空隆起唇部の前記内側部は、前記外側唇部から前記下方端部に向かって内向きに傾斜する、請求項１に記載の飲料通過蓋。
【請求項９】
前記飲み物カップの前記開口端は玉縁によって囲まれ、前記飲料通過蓋の前記内部玉縁封止部は、前記玉縁に封止してしっかりと係合する大きさおよび形状とされる、請求項１に記載の飲料通過蓋。
【請求項１０】
前記角度アルファ（α）は、約５０度（約５０°）から約７０度（約７０°）までの範囲にある、請求項１に記載の飲料通過蓋。
【請求項１１】
前記中空隆起唇部の前記内側部は、約７０度（約７０°）から約８５度（約８５°）までの範囲の角度ベータ（β）で下向きかつ内向きに傾斜する、請求項１に記載の飲料通過蓋。
【請求項１２】
前記周縁は外側縁を備え、前記飲料通過口の前記細長い第２の縁壁は、前記周縁の前記外側縁の接線から距離Ｌ１の線に沿って定められ、前記周縁の外側縁の前記接線は、前記飲料出口に対して中心に置かれた反対の端を含む線に直角である、請求項１に記載の飲料通過蓋。
【請求項１３】
前記飲料出口の前記第１の面は、前記飲料通過蓋を利用する飲み物カップが鉛直位置から回転されるときに前記飲料出口が液体で素早く満たされるように、前記内部玉縁封止部から離間されるが前記内部玉縁封止部に隣接される、請求項１に記載の飲料通過蓋。
【請求項１４】
前記飲料出口の径方向最外縁ＲＯが、前記内部玉縁封止部において基準平面ＰＲから約０．７６２ｃｍ（１インチの約１０分の３、約０．３インチ）以下の距離Ｓである、請求項１３で定めた飲料通過蓋。
【請求項１５】
前記隆起した中空隆起唇部の前記外側唇部の高さＨが、前記少なくとも１つの飲料出口の径方向最内縁ＲＩの上方に、約１．０２ｃｍ（１インチの約１０分の４、約０．４インチ）から約２．２９ｃｍ（１インチの約１０分の９、約０．９インチ）までの範囲にある、請求項１に記載の飲料通過蓋。
【請求項１６】
前記中空隆起唇部の前記内側部の鉛直表面距離Ｖが、約０．６１ｃｍ（約０．２４インチ）から約１．７５３ｃｍ（約０．６９インチ）までの範囲にある、請求項１に記載の飲料通過蓋。
【請求項１７】
前記１つまたは複数の飲料出口は、約０．３８７平方センチメートル（約０．０６平方インチ）から約１．６１３平方センチメートル（約０．２５平方インチ）までの範囲の全開口面積を定める、請求項１に記載の飲料通過蓋。
【請求項１８】
前記１つまたは複数の飲料出口は、約０．８３８７平方センチメートル（約０．１３平方インチ）から約１．２９０３平方センチメートル（約０．２平方インチ）までの範囲の全開口面積を定める、請求項１に記載の飲料通過蓋。
【請求項１９】
前記飲料泉基部は、選択された液体体積ＬＶを収容する大きさおよび形状とされる、請求項１に記載の飲料通過蓋。
【請求項２０】
前記液体体積ＬＶは、約４．７３ミリリットル（約０．１６液量オンス）以上である、請求項１９に記載の飲料通過蓋。
【請求項２１】
前記内部玉縁封止部は玉縁中心線に沿って配置され、前記飲料泉基部の前記周辺側は、前記内部玉縁封止部の前記玉縁中心線の周りに鉛直に配置される、請求項１に記載の飲料通過蓋。
【請求項２２】
前記内部玉縁封止部は玉縁中心線に沿って配置され、前記飲料泉基部の前記周辺側は、前記内部玉縁封止部の前記玉縁中心線の上方に鉛直に配置される、請求項１に記載の飲料通過蓋。
【請求項２３】
前記飲料出口の前記第１の縁壁は弓形の形状とされる、請求項１に記載の飲料通過蓋。
【請求項２４】
前記飲料通過蓋は熱可塑性プラスチック材料を含む、請求項１に記載の飲料通過蓋。
【請求項２５】
少なくとも０．３８７０平方センチメートル（０．０６平方インチ）の全面積が、前記内部玉縁封止部に配置された基準平面ＰＲから径方向内向きに１．２７ｃｍ（０．５インチ）以内で、前記１つまたは複数の飲料出口に提供される、請求項１に記載の飲料通過蓋。
【請求項２６】
前記１つまたは複数の飲料出口のすべてによって提供される全開口面積が、前記内部玉縁封止部に配置された基準平面ＰＲと前記基準平面ＰＲから径方向内向きに１．２７ｃｍ（０．５インチ）以内の位置との間に配置される、請求項１に記載の飲料通過蓋。
【請求項２７】
前記１つまたは複数の飲料出口の少なくとも一部の開口面積が、前記内部玉縁封止部に配置された基準平面ＰＲと前記基準平面ＰＲから径方向内向きに１．０１６ｃｍ（０．４インチ）以内の位置との間に配置される、請求項１に記載の飲料通過蓋。
【請求項２８】
前記基部から上向きであって第１の側壁端と第２の側壁端との間で弓形に延在する隆起側壁と、上方端および下方端を備え、前記第１の側壁端から前記第２の側壁端へと前記蓋をわたって延在する内部蒸気ドーム壁と、前記隆起側壁と前記上方端との間で延在する蒸気ドーム面とを備える蒸気ドームをさらに備える、請求項１に記載の飲料通過蓋。
【請求項２９】
前記蒸気ドーム面は、１つまたは複数の蒸気案内通路を内部に備える少なくとも１つの蒸気通気泉をさらに備える、請求項２８に記載の飲料通過蓋。
【請求項３０】
前記１つまたは複数の蒸気案内通路のうちの少なくとも１つは、前記内部玉縁封止部の中心線に沿う平面に対して主に水平である方向に蒸気を最初に噴出するように配向される、請求項２９に記載の飲料通過蓋。
【請求項３１】
前記飲料通過蓋をわたって延在する下向き延在溝槽形状壁と、
前記基部に対して部分的翼弦線に沿って形成され、第１の端と第２の端との間に、前記下向き延在溝槽形状壁によって形成された第１の縁および第２の縁に沿って設けられた長さＬＳのスリットと
をさらに備える、請求項１に記載の飲料通過蓋。
【請求項３２】
前記下向き延在溝槽形状壁はＶ字形の壁を含む、請求項３１に記載の飲料通過蓋。
【請求項３３】
前記下向き延在溝槽形状壁を通る１つまたは複数の蒸気通路をさらに備える、請求項３２に記載の飲料通過蓋。
【請求項３４】
前記飲料通過蓋をわたって延在する下向き延在溝槽形状壁と、
第１の径方向延在部および第２の径方向延在部に沿って、かつ、前記下向き延在溝槽形状壁によって形成された第１の縁および第２の縁に沿って形成された、第１の端と第２の端との間で長さＬＳのスリットと、
前記第１の径方向延在部と前記第２の径方向延在部との間に配置され、前記第１の縁の第１の縁壁および前記第２の縁の第２の縁壁によって定められた開口であって、前記第１の縁壁が第１の通気部を定め、前記第２の縁壁が第２の通気部を定め、前記第１の通気部および前記第２の通気部が前記開口を定め、前記開口が前記蓋を通る蒸気の流れを可能にする開口と
をさらに備える、請求項１に記載の飲料通過蓋。
【請求項３５】
前記スリットを通じた下向きへの挿入に適合され、スリット長さＬＳを補完する全幅ＷＢを有する概して台形の形とされた構成で提供されたバッフルをさらに備える、請求項３４に記載の飲料通過蓋。
【請求項３６】
前記スリットは、前記第１の縁および前記第２の縁がそれらを通る液体の漏れを実質的に防ぐために合わさって圧迫される第１の安定状態と、前記第１の縁および前記第２の縁が液体の漏れを実質的に防ぐために前記バッフルに向かって圧迫される第２の安定状態とを形成する、請求項３５に記載の飲料通過蓋。
【請求項３７】
前記バッフルは下方端を備え、前記下方端は、前記飲み物カップとの組み合わせで液体通路を定める上向きに延在する下方バッフル壁を備える、請求項３６に記載の飲料通過蓋。
【請求項３８】
概して円錐台形の形の内側側壁を備える飲み物容器と使用するためのものであり、前記バッフルは、前記内側側壁と封止係合するために、形が相補的で大きさが定められた第１の側および第２の側を備える、請求項３６に記載の飲料通過蓋。
【請求項３９】
前記バッフルは、前記飲み物カップを少なくとも第１の室と第２の室とに事実上分割し、前記飲み物容器の液体を前記第１の室と前記第２の室との間で自由に流すことができる形状および位置付けとされ、前記スリットにおいて前記飲料通過蓋によって事実上封止され、かつ、前記飲料通過蓋と前記飲み物カップの液体との間にある前記第１の室内の蒸気が前記第２の室へと流れるのを防止するように位置付けられる、請求項３８に記載の飲料通過蓋。
【請求項４０】
前記飲料通過蓋は、前記第１の室および前記第２の室の各々と関連して、（ａ）前記少なくとも１つの蒸気案内通路、または、（ｂ）前記少なくとも１つの蒸気通路のうちの１つまたは複数を備える、請求項３９に記載の飲料通過蓋。
【請求項４１】
前記飲み物カップが液体を収容し、液体を前記飲料出口から流出させるために傾けられるとき、前記第１の室内の蒸気は前記少なくとも１つの蒸気通路のうちの１つまたは複数から強制的に出される一方、前記飲み物カップの外側の空気は、前記少なくとも１つの蒸気案内通路のうちの１つまたは複数を通じて前記第２の室へと同時に引き込まれるように、前記蒸気案内通路および前記蒸気通路は前記バッフルのいずれかの側に配置される、請求項４０に記載の飲料通過蓋。
【請求項４２】
円形開口を含む飲み物カップ用の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向された少なくとも１つの飲料出口と
を備える飲料通過蓋。
【請求項４３】
前記高さＨは、約１．０１６ｃｍ（１インチの約１０分の４、約０．４インチ）から約２．２８６ｃｍ（１インチの約１０分の９、約０．９インチ）までの範囲にある、請求項４２に記載の飲料通過蓋。
【請求項４４】
前記中空隆起唇部の前記内側部は、約７０度（約７０°）から約９０度（約９０°）までの範囲の角度ベータ（β）で下向きかつ内向きに傾斜する、請求項４３に記載の飲料通過蓋。
【請求項４５】
前記第１の面は平面を含む、請求項４３に記載の飲料通過蓋。
【請求項４６】
前記少なくとも１つの飲料出口は、少なくとも一部において、前記飲料泉基部の前記床から外向きに延在する第２の面に沿って配向される、請求項４３に記載の飲料通過蓋。
【請求項４７】
前記第２の面は平面を含む、請求項４６に記載の飲料通過蓋。
【請求項４８】
前記飲料泉基部の前記床は、少なくとも一部において、径方向外向きの方向において下向きに傾斜する、請求項１または４２に記載の飲料通過蓋。
【請求項４９】
前記角度アルファ（α）は、約５０度（約５０°）から約７０度（約７０°）までの範囲にある、請求項４２に記載の飲料通過蓋。
【請求項５０】
前記角度アルファ（α）は約６０度（約６０°）である、請求項４２に記載の飲料通過蓋。
【請求項５１】
円形開口を含む飲み物カップ用の飲料通過蓋であって、
内部玉縁封止部を含む周縁を備え、前記飲み物カップの前記円形開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２８６ｃｍ（１インチの約１０分の９、約０．９インチ）までの範囲にある高さＨで配置された液体ドレンを提供する飲料泉基部と、
前記中空隆起唇部の前記内側部へと上向きに延在する第１の縁壁によって、および、前記飲料泉基部の出口部に沿って延在する細長い第２の縁壁によって定められ、少なくとも一部において、約４０度（約４０°）から約９０度（約９０°）までの範囲の平均角度アルファ（α）で前記第１の縁壁から延在する第１の面に沿うかのように配向され、前記内部玉縁封止部に配置された基準面ＰＲから径方向内向きに１．２７ｃｍ（０．５インチ）以内で、少なくとも０．３２２６平方センチメートル（０．０５平方インチ）の開口面積を有する少なくとも１つの飲料出口であって、前記少なくとも１つの飲料出口の前記第１の縁壁が、前記外側唇部から少なくとも１．０１６ｃｍ（０．４インチ）の距離Ｖに配置される少なくとも１つの飲料出口と
を備える飲料通過蓋。
【請求項５２】
前記飲料通過蓋をわたって延在する下向き延在Ｖ字形壁と、
前記基部に対して部分的翼弦線に沿って形成され、第１の端と第２の端との間に、前記Ｖ字形壁によって形成された第１の縁および第２の縁に沿って設けられた長さＬＳのスリットと
をさらに備える、請求項４２または５１に記載の飲料通過蓋。
【請求項５３】
前記Ｖ字形壁を通る１つまたは複数の蒸気通路をさらに備える、請求項５２に記載の飲料通過蓋。
【請求項５４】
前記１つまたは複数の蒸気通路のうちの少なくとも１つは、前記内部玉縁封止部の中心線に沿う平面に対して主に水平である方向に蒸気を最初に噴出するように配向される、請求項５３に記載の飲料通過蓋。
【請求項５５】
開口を含む飲み物カップ用の飲料通過蓋であって、
内部玉縁封止部を含む周縁を備え、前記飲み物カップの前記開口に封止して係合する大きさおよび形状とされた基部と、
前記基部から上向きに延在する外装部、外側唇部、および、前記外側唇部における上方端部から下方端部へと下向きに傾斜する内側部を含む中空隆起唇部と、
前記下方端部のうちの少なくとも一部から内向きに延在する床を含む飲料泉基部であって、前記床の下位置が、前記外側唇部の下方に、約１．０１６ｃｍ（１インチの約１０分の４、約０．４インチ）から約２．２９６ｃｍ（１インチの約１０分の９、約０．９インチ）までの範囲にある高さＨで配置された液体ドレンを提供する飲料泉基部と、
前記内部玉縁封止部に配置された基準平面ＰＲから径方向内向きに１．２７ｃｍ（０．５インチ）以内で、少なくとも０．３２２６平方センチメートル（０．０５平方インチ）の総開口面積を有する１つまたは複数の飲料出口と
を備える飲料通過蓋。
【請求項５６】
前記内部玉縁封止部に配置された基準平面ＰＲから径方向内向きに１．０１６ｃｍ（０．４インチ）以内で、少なくとも０．６４５２平方センチメートル（０．１０平方インチ）の総開口面積を有する１つまたは複数の飲料出口をさらに備える、請求項５５に記載の飲料通過蓋。
【発明の詳細な説明】
【技術分野】
【０００１】
[0001]政府利益の声明
【０００２】
[0002]非適用
【０００３】
[0003]図面の著作権
【０００４】
[0004]本特許文書の開示の一部は、著作権の保護を受ける材料を含んでいる。特許権者は、特許文書または特許開示の何者かによる複製に対して、それが特許商標庁のファイルまたは記録に現れている場合は異議はなく、さもなければ、すべてのあらゆる著作権を保有する。
【０００５】
[0005]関連する特許出願
【０００６】
[0006]本出願は、２０１２年３月２３日に出願され、飲み物容器用の蓋および蒸気案内バッフルという名称とされた先行の米国仮特許出願番号第６１／６１４，９５５号からの優先権を主張し、その開示が、本明細書において、明細書、図面、および特許請求の範囲を含むその全体において、参照により組み込まれている。
【０００７】
[0007]技術分野
【０００８】
[0008]本開示は、飲用カップ用の蓋、より詳細には、飲み物のための容器用の蓋に関し、いくつかの態様では、コーヒーまたは茶などの香りのある飲み物用容器に関する。
【０００９】
[0009]背景技術
【００１０】
[0010]本明細書において飲用カップまたは飲み物カップとして説明され得る使い捨ての飲み物容器は、特にはコーヒーまたは茶などの温かい飲み物といった、液体の「持ち運び自由」な消費で使用されるため、至る所にある。使い捨ての飲み物カップは、飲み物が容器から飛び散ったりこぼれたりするのを最小限にするために、使い捨ての蓋をしばしば利用している。現時点において最も一般的に使用されている使い捨ての蓋は、隆起した周縁の最上面に水平に配向された飲み口を提供している。このような設計の多くは、ストローを通じて飲むのと多くの点において同様の方法で、または悪いことに、限定された量の液体が提供されると思われる点で、使用者が蓋を通じて飲むことを可能にしている。このような欠点は、通気口が最小限であるかまたは不適切に提供されている場合、悪化される。さらに、このような飲み口は、飲んでいる最中に使用者の唇によって覆われるため、飲み物から非常にわずかな香りしか使用者の鼻へと抜けてこない。
【００１１】
[0011]使用者が、上に蓋のないカップまたはマグから飲むかのように、自然に飲むことができる使い捨ての蓋を開発するこれまでの試みは、その実用性を制限する様々な好ましくない影響をもたらしてきた。したがって、使用するのが容易な使い捨ての飲み物カップまたは飲み物容器用の蓋の設計を提供する必要性が残っている。このような蓋が使い捨ての材料で提供されることは、より一層有利である。このような蓋の設計は、液体を使用者に提供する方法、および／または、飲み物の香りを使用者に提供する方法において、満足感を与える飲み心地を大いに高めるように利用可能であれば、さらに望ましい。
【００１２】
[0012]
【発明の概要】
【課題を解決するための手段】
【００１３】
[0013]様々な実施形態では、様々な先行技術の蓋および容器と比較して、使用者の飲み物の飲み心地の満足感を大いに高める新規の飲料通過式飲み物容器蓋が、開発されている。蓋は、液体が飲料泉基部を満たすことができる飲料出口を提供し、その飲料出口から、消費者は、カップまたはマグを使用するのと同様に飲み物をすすることができる。蓋は、底縁および内部玉縁封止部を含む周縁を備えた基部を有する。実施形態では、周縁は環状の形であり得る。基部は、内部玉縁封止部を介して、飲み物カップの開口端に封止して係合する大きさおよび形状とされる。多くの実施形態では、円形開口は、飲み物カップに設けられ、飲み物カップの上方域の玉縁によって定めることができ、このような場合には、内部玉縁封止部は、飲み物カップの玉縁に封止して係合する。実施形態では、飲料通過蓋が飲み物容器で使用中に、内部玉縁封止部は、飲み物カップの玉縁に対して中心に置かれてもよい。中空隆起唇部が蓋に設けられ、中空隆起唇部は、基部から上向きに延在する外装部、外側唇部、および、外側唇部から下方端部へと下向きに傾斜する内側部を含む。実施形態では、隆起した中空唇部の内側部が、外側唇部から内向きに傾斜してもよい。
【００１４】
[0014]液体を収容するための飲料泉基部が提供される。実施形態では、飲料泉基部は、下方端部に沿う周辺側から上向きに延在する傾斜した床を有する。実施形態では、飲料泉基部は、周縁の底縁の上方かつ外側唇部の下方に配置されてもよい。実施形態では、飲料泉基部の床の最下部が、内部玉縁封止部の中心線の上方で鉛直に配置されてもよい。実施形態では、飲料泉基部の床の最下部が、内部玉縁封止部の中心線の鉛直の高さかまたはその高さの近くに配置されてもよい。実施形態では、飲料泉基部の床の最下部が、内部玉縁封止部の中心線の下方に配置されてもよい。様々な実施形態では、飲料泉基部は、内部玉縁封止部の中心線の下方に約１．２７ｃｍ（約２分の１インチ、約０．５インチ）の高さかまたはそれ以上の高さで鉛直に配置されてもよい。少なくとも１つの飲料出口が提供される。少なくとも１つの飲料出口は、中空隆起唇部の内側部へと上向きに延在する第１の縁壁によって、および、周辺縁に近接して飲料泉基部の出口部に沿って延在する細長い第２の縁壁によって定められ得る。実施形態では、少なくとも１つの飲料出口の一部は、約４０度（約４０°）から約９０度（約９０°）までの範囲の角度アルファ（α）で細長い第２の縁壁から延在する第１の面に沿って配向されてもよい。実施形態では、第１の面は平面であってもよい。実施形態では、少なくとも１つの飲料出口の一部は、飲料泉基部に沿って延在する第２の面に沿って配向されてもよい。実施形態では、第２の面は平面であってもよい。実施形態では、飲み口は、第１の面および第２の面が円状曲線（ｒａｄｉｕｓｅｄ  ｃｕｒｖｅ）に沿って結合されるかのように定められてもよい。実施形態では、第１の平面および第２の平面が、円状曲線に沿うかのように結合されてもよい。実施形態では、内向きに突出する肩部が、中空隆起唇部の内側部から提供されてもよく、また、飲み口は、内向きに突出する肩部に沿う開口切断部によって定められてもよい。実施形態では、内向きに突出する肩部は、上向きに向けられた弓状になる中心部で、弓状の形であってもよい。
【００１５】
[0015]別の実施形態では、上記のように大まかに説明された飲料通過蓋が、飲料通過蓋を横断するようにわたって延在する下向き延在壁をさらに備えて提供されてもよい。実施形態では、Ｖ字形壁が提供されてもよい。実施形態では、下向き延在壁は、飲料通過開口の細長い第２の縁壁と平行であってもよい。実施形態では、下向き延在壁は、縁から縁へと連続する形状の面に、つまり、壁の第１の頂部と第２の頂部とを接続する谷を通って下向きに、設けられてもよい。
【００１６】
[0016]さらなる実施形態では、長さＬＳのスリットが、第１の端および第２の端によって定義されるように、蓋をわたって提供されてもよい。実施形態では、スリットは、下方に延在する壁において、第１の縁によって、および、第２の縁によってさらに定められてもよい。このようなスリットは、そこにバッフルを配置するために利用され得る。しかしながら、スリットを含む飲料通過蓋が、底に挿入されるバッフルなしで飲み物カップに使用されてもよい。
【００１７】
[0012]実施形態では、バッフルが、スリットを有する飲料通過蓋と共に使用するために提供され得る。バッフルは、蒸気を使用者の鼻に向かって送り出して案内することによって、飲み物の飲み心地を高めるために使用され得る。バッフルは、選択される飲み物カップの幅および高さを含む内部寸法を補完するバッフル高さおよび可変幅を有する、概して台形の形とされた構成で、提供され得る。実施形態では、バッフルは、その下方域に液体通路を定めるスロットを備えて提供されてもよい。実施形態では、バッフルは、蓋に対して鉛直にバッフルをしっかりと配置するために、かつ、蓋が飲み物容器の所定位置に嵌め込まれたとき、バッフルの側面と飲み物容器の内壁との間の密接した嵌め合い係合を確保するために、固定特徴部が設けられてもよい。
【００１８】
[0018]本発明は、例の実施形態の方法で、同様の参照符号が同様の構成要素を表している添付の図面を説明のために用いて説明される。
【図面の簡単な説明】
【００１９】
【図１】[0019]液体が消費のために出現して入る飲料泉基部であって、液体の飲料泉基部への通路のための開口と、この実施形態では３つの蒸気通路とを明らかにもする飲料泉基部を有する、カップ用の飲料通過蓋の斜視図である。
【図２】[0020]カップ用の蓋の反対側すなわち下側の図であり、蓋の外側縁の接線から距離Ｌ１の線に沿う縁壁によって定められた下方側を有する飲み口を有する蓋の実施形態を明らかにしており、蓋の外側縁の接線は、飲み口の中心に置かれた反対の端を含む線に直角であり、言い換えれば、蓋の外側縁の接線と、飲み口の下方側を定める縁壁の接線とは、平行であり、実施形態では平面であり得ると共に飲み口がそれに沿って配向される少なくとも１つの面について、基部を定め得る図である。
【図２Ａ】[0021]カップ用の蓋の反対側すなわち下側の図であり、図２に示すものと同様の実施形態を明らかにしているが、ここでは、弓形とされた縁壁によって定められた下方側壁を有し、そのため飲料の外側縁も弓形とされる飲料出口を提供しており、示した実施形態では、補完する形で連続した構成とされている図である。
【図３】[0022]飲み物消費者に自然な飲み心地を提供するために使用される図１および図２で説明した新規の蓋についての実施形態を明らかにしている図であり、本明細書で説明される蓋の第１の飲む機能を図示しており、図２を参照して説明されるように飲み口を配向することが、どのようにカップの液体を飲み口の下方部に素早く到達させることができ、それによって、様々な先行技術の設計で起こり得る流れの増加または減少を最小限または回避するかを示す図である。
【図４】[0023]図３と同様に、飲み物消費者に自然な飲み心地を提供するために使用される図１、図２、および図３で説明した新規の蓋を示す図であり、本明細書で説明される蓋の第２の飲む機能を図示しており、液体が飲料泉基部の上方の中空隆起唇部の後ろで飲料泉基部に収容されており、また、隆起した周縁に小さな開口を有している先行技術のカップで行われているように、液体が隆起した開口から直に液体を取りだすことによって消費されないため、飲み物消費者が自身の唇で液体をどのようにすするかを示す図である。
【図５】[0024]本明細書で説明される新規の蓋の斜視図であり、中空隆起唇部が飲料泉基部の上方に度のように提供されるかを示し、網掛けにおいて、平面であり得ると共に飲み口がそれに沿って配向されると共に、中空隆起唇部へと上向きに切り込んだ第１の縁壁と、飲料泉基部へと切り込んだ下方の細長い第２の縁壁とによって定められた第１の面をさらに示す図である。
【図６】[0025]本明細書で説明される図５と同様の新規の蓋の斜視図であり、ここでは反対側から見ており、中空隆起唇部が飲料泉基部の上方に度のように提供されるかを示し、網掛けにおいて、平面であり得ると共に飲み口がそれに沿って配向されると共に、隆起唇部へと上向きに切り込んだ第１の縁壁と、飲料泉基部へと切り込んだ下方の細長い第２の縁壁とによって定められた第１の面をさらに示す図である。
【図７】[0026]図１〜図６との関連で前述した蓋と同様の新規の蓋についての別の実施形態の斜視図であるが、ここでは、飲み物カップ内で下向きに延在するように点線で示されたバッフルであって、飲み物カップの上向きかつ外向きに傾斜した側壁と係合するように横方向に延在する下向きに延在するバッフルの使用を可能にするだけの幅がある、蓋の最上部にわたる線に沿って中心に配向されたスリットを追加で提供している図である。
【図８】[0027]図７に示した蓋についての実施形態の展開した斜視図であり、ここでは、バッフル、蓋、およびカップを作用する組み合わせへの組み立てを追加的に示しており、また、バッフルを蓋に固定する両側の固定切欠きを含めた下方に延在するバッフルの実施形態の詳細を明らかにしている図である。
【図９】[0028]図７および図８に示した蓋についての実施形態の斜視図であり、ここでは、カップへの挿入のために所定位置に固定されるとき、下向きに延在するバッフルの一部の詳細を追加的に示す図である。
【図１０】[0029]本明細書で説明される新規の蓋およびバッフルの機能性の図解を提供する図であり、飲み物からの蒸気を含む香りが、中心の蒸気通路から使用者の鼻に向かってどのように案内されるか、および、飲み物からの蒸気が、液体の表面が飲用開口に接近および到達するにつれて、液体の表面から使用者の唇を通過して使用者の鼻へとどのように案内されるかの第１のバッフル機能性の図解を示す図であり、より優れた圧力平衡および液体の流れの許容を可能にする圧力除去のための１つまたは複数の蒸気案内通路を通る外側空気の通過も示された図である。
【図１１】[0030]本明細書で説明される新規の蓋およびバッフルの組み合わせの機能性の図解を提供する図であり、ここでは、飲み物からの蒸気を含む香りが、飲料泉基部、つまり、飲料出口の外の液体保持領域が液体で満たされ、このような蒸気を使用者の一部において吸い込むことなどによって、蒸気を含むこのような香りが上向きに拡げられるとき、使用者の鼻に向かってどのように案内されるかの第２のバッフル機能性の図解を示す図であり、また、このときに、蓋およびバッフルを用いるカップが、蒸気を中心に配置された蒸気通路から使用者の鼻に向かってどのように案内するかも示された図である。
【図１２】[0031]本明細書で説明される新規の蓋およびバッフルの組み合わせの機能性の図解を提供する図であり、ここでは、カップが直立した位置に戻されたとき、飲料出口の外の液体保持領域がどのように流し出すかの第３のバッフル機能性の図解を示す図である。
【図１３】[0032]上記の図２と同様であるが、スリットをさらに含むことで、バッフルを通して受け入れるように適合された蓋についての実施形態の底面図であり、また、中心に配置された蒸気通路と他の蒸気通路とを示し、本明細書で説明されるバッフルの組み合わせでの使用に適した新規の蓋の機能性の図解を示し、細長い第２の縁壁によって定められる飲み口の下方側も示す図である。
【図１４】[0033]図１３の線１４−１４の部分を通るかのように切り取られ、蓋の所定位置に固定され、カップの中に配置されたバッフルを示す部分側面図である。
【図１５】[0034]図１３の線１５−１５を通じて切り取られた鉛直断面図であり、ここでは、蓋における内向きかつ下向きに傾斜する形状とされた中心側壁と、バッフルを収容するスリットとを示し、また、作用位置にあるバッフルを示し、さらに、蓋の蒸気案内通路も示す図である。
【図１６】[0035]本明細書で説明される蓋の実施形態の側面図であり、蓋がコンパクトな保管のためにどのように積み上げられ得るかを示す図である。
【図１７】[0036]飲み物容器用の使い捨ての蓋についての設計の斜視図であり、蓋は、この実施形態では、蒸気および液体の両方の流れに関して、香りを使用者の鼻に向かって案内するために流体の流れ力学を用いることで、飲み物の飲み心地を高めるためのバッフルを収容するためのスロットを有している図である。
【図１８】[0037]使い捨ての蓋についての設計の部分断面図であり、飲料泉基部の床の下方端が蓋の内部玉縁封止部の中心線にまたはその中心線の周りに配置されているのを示す図である。
【図１９】[0038]使い捨ての蓋についての設計の部分断面図であり、飲料泉基部の床の下方端が蓋の内部玉縁封止部の中心線の下方に配置されているのを示す図である。
【図２０】[0039]使い捨ての蓋についての設計の部分断面図であり、飲料泉基部の床の下方端が蓋の内部玉縁封止部の中心線の上方に配置されているのを示す図である。
【図２１】[0040]使い捨ての蓋についての設計の断面図であり、飲料出口の径方向最内端および径方向最外端が、蓋の内部玉縁封止部の内壁から距離ＲＩおよびＲＯでそれぞれ配置されている実施形態を示す図であると共に、使い捨ての蓋を、補完的な大きさとされた飲み物容器の開口端に、蓋の直径Ｄ３の部分の内部玉縁封止部内で安定して嵌め込むことができる蓋の干渉嵌合最小直径Ｄ２を指し示す図である。
【図２２】[0041]使い捨ての蓋についての設計の部分断面図であり、飲料出口を封止し、蓋を４５度（４５°）の角度に傾けることで、飲料泉の容積を測定するための方法を示す図である。
【図２３】[0042]使い捨ての蓋についての設計の部分断面図であり、中空隆起唇部の内側部から外向きに延在する肩部の出っ張りが設けられて、熱成形された材料を除去するために、かつ、飲料出口の縁を形成するために、下向きに案内されたダイカッターの使用などによる切断を容易にしている実施形態の構造の特徴を、詳細に示す図である。
【図２４】[0043]液体が消費のために出現して入る飲料泉基部を備える、カップ用の飲料通過蓋の部分斜視図であり、飲料泉基部への液体の通路のための複数の飲料出口の使用も明らかにしている図である。
【図２５】[0044]カップ用の飲料通過蓋についての実施形態の平面図であり、液体が消費のために出現して入る飲料泉基部を示し、第１の通気部および第２の通気部が、蒸気が蓋を通って流れるために設けられる下向きに突出するスリットも明らかにしている図である。
【図２６】[0045]カップ用の飲料通過蓋についての実施形態を上向きに見る斜視図であり、液体が消費のために出現して入る飲料泉基部を示し、蒸気が蓋を通って流れるために第１の通気部および第２の通気部が設けられるスリットを形成する第１の下向き突出部材および第２の下向き突出部材も明らかにしている図である。
【発明を実施するための形態】
【００２０】
[0046]上記の図は、単なる例示であり、使い捨ての蓋についての最終的な構成、もしくは、本明細書で教示される原理を利用する飲み物容器用の任意のバッフルおよび蓋の最終的な構成から提示され得るか、もしくは、省略され得る様々な構成要素、または、このような蓋、バッフル、および容器について本明細書で説明される様々な実施形態で実施される得る構成要素を含んでいる。蓋の設計およびバッフルの設計における他の変形態様は、若干異なる機械的構造、機械的配置、液体の流れる構成、または、蒸気の流れる構成を用いてもよく、なおかつ、本明細書で説明され、提供された図に概して描写された原理を採用してもよい。飲み物容器用の例示の蓋およびバッフルの設計の理解のために重要であるそれらの構成要素を少なくとも示す方法で図を描くように、試みが行われた。このような詳細は、使用者の飲み心地を高める上での本明細書で教示される使い捨ての蓋の設計およびバッフルの設計の使用のために、高品質の改良された飲み物容器の蓋を提供することにとって、非常に有用であり得る。
【００２１】
[0047]特許請求の範囲によって定められるように、本明細書の教示の範囲および適用範囲内で、取り扱われている液体の温度および蒸気圧、ならびに、その液体からの蒸気に作り出される香り含有物などの提供の条件に応じて、様々な大きさおよび形状のカップ、蓋、およびバッフルについて有用とされるような異なる実施形態において有用であり得るように、様々な特徴が、その教示に従って利用できることは、理解されるべきである。さらに、様々な蓋の設計における同様の特徴は、バッフルの収容のためのスロットを含むかどうかにかかわらず、それ以上の言及をすることなく、同様の参照符号、または、他の参照を用いて説明され得る。
【００２２】
[0048]詳細な説明
【００２３】
[0049]図１、図２、および図３に注目すると、飲み物容器３２（図３参照）用の飲料通過蓋３０が提供されている。蓋３０は、液体３６が飲料泉基部４０を満たすことができる少なくとも１つの飲料出口３４として指示された少なくとも１つの飲み口を提供し、その飲料出口３４から、使用者または消費者４２は、カップまたはマグを使用するときと同様の方法で、飲み物をすすることができる。蓋３０は、底縁４８および内部玉縁封止部５０を含む周縁４６を備えた基部４４を有する。実施形態では、周縁４６は環状の形であり得る。基部４４は、飲み物容器３２の開口端（開口端は図示されていないが、多くは円形である）に封止して係合する大きさおよび形状とされ、飲み物容器３２の玉縁５２によって定められ得る。中空隆起唇部５４が設けられ、中空隆起唇部５４は、飲料泉基部４０から上向きに延在する外装部５６、外側唇部６０、および、外側唇部６０から下方端部６６へと下向きかつ内向きに傾斜する内側部６２を含む。液体３６を収容するための飲料泉基部４０（図３参照）が提供される。飲料泉基部４０は、下方端部６６の少なくとも一部に沿う周辺側６４から延在する床６３を有する。実施形態では、床６３は周辺側６４から上向きかつ内向きに延在し得る。実施形態では、飲料泉基部４０は、環状の鍔とされた周縁４６の底縁４８の上方かつ外側唇部６０の実質的に下方に配置され得る。少なくとも１つの飲料出口３４が提供される。少なくとも１つの飲料出口３４は、中空隆起唇部５４の内側部６２へと上向きに延在する第１の縁壁７４によって、および、周辺側６４に近接して飲料泉基部４０の出口部７８に沿って延在する細長い第２の縁壁７６によって定められ得る。実施形態では、第１の縁壁７４は弓状の形であってもよい。少なくとも１つの飲料出口３４は面８０に沿って配向され、その面８０は、実施形態では、環状の鍔とされた周縁４６の底縁４８によって定められた平面８２と比較して、または、あらゆる場合において、内部玉縁封止部５０（例えば、図１８から図２１までを参照）の中心線８２’によって定められた平面と比較して、約４０度（約４０°）から約９０度（約９０°）までの範囲の角度アルファ（α）で細長い第２の縁壁７６から延在する平面であり得る（図３参照）。様々な実施形態では、角度アルファ（α）は、約５０度（約５０°）から約７０度（約７０°）までの範囲にあってもよい。さらなる実施形態において、角度アルファ（α）は、約６０度（約６０°）であってもよい。
【００２４】
[0050]図３に示すように、実施形態では、中空隆起唇部５４の内側部６２は、下向きに傾斜し、一部の実施形態では、約７０度（約７０°）からほとんど約９０度（約９０°）までの範囲の角度ベータ（β）で内向きに傾斜するが、ただし、選択された角度が、製造工程における金型からの取り外しを可能にすることとされる。様々な実施形態では、約７０度（約７０°）から約８５度（約８５°）までの範囲の角度ベータ（β）が提供される。
【００２５】
[0051]ここで図２を見ると、環状の鍔とされた周縁４６は外側縁９２を有している。実施形態では、飲料出口３４の細長い第２の縁壁７６は、環状の鍔とされた周縁４６の外側縁９２の接線９４から距離Ｌ１の線に沿って定められている。環状の鍔とされた周縁４６の外側縁９２の接線９４は、飲料出口３４の細長い第２の縁壁７６に対して中心に置かれ得る反対の端９８を含む線９６に直角である。
【００２６】
[0052]図２でも見られるように、飲料出口３４の細長い第２の縁壁７６は開口幅Ｗ１を有している。図２に示す実施形態では、細長い第２の縁壁７６は、環状の鍔とされた周縁４６の外側縁９２の接線９４と平行である。様々な実施形態では、幅Ｗ１は、約５．０８ｃｍ（約２インチ）以下の長さで提供され得る。様々な実施形態では、幅Ｗ１は、約５０パーセント（約５０％）の加減範囲において約２．５４ｃｍ（約１インチ）の全体長さで提供され得る。様々な実施形態では、幅Ｗ１は、約２５パーセント（約２５％）の加減範囲において約２．５４ｃｍ（約１インチ）の全体長さで提供され得る。
【００２７】
[0053]同様の実施形態が図２Ａに示されており、そこには蓋３０’の反対側すなわち下側が提供されており、図２に示したものと同様の実施形態を明らかにしているが、ここでは、第１の側壁７４’と、外向きに弓形に曲げられた形状になっている細長い第２の縁壁７６’との間に形成されている飲料出口３４’を提供している。したがって、細長い第２の縁壁７６’は、第１の端７６１と第２の端７６２との間で湾曲されている。
【００２８】
[0054]図３で見られるように、飲料出口３４に一致する面８０の一部３４８０によって定められるように、飲料出口３４は、飲料通過蓋３０の内部玉縁封止部５０から離間されるが内部玉縁封止部５０に隣接しており、そのため、飲料通過蓋３０を利用する飲み物容器３２が鉛直位置から回転されると直ぐに、飲料出口３４は、床６３に沿って、飲料泉基部４０の上方において液体３６で満たされる。蓋１３０に関連して図２１でさらに示されるように、実施形態では、飲料出口３４の第１の縁壁７４の径方向最外位置ＲＯが、蓋３０の内部玉縁封止部５０に配置された基準平面ＰＲから約０．７６２ｃｍ（約０．３インチ）以下の距離Ｓに離間され得る。図２１を参照して理解され得るように、実施形態では、少なくとも合計で約０．３８７１平方センチメートル（約０．０６平方インチ）になる１つまたは複数の飲料出口３４の全開口通路面積が、内部玉縁封止部に配置された基準線ＰＲから径方向内向きに１．２７ｃｍ（０．５インチ）以内の位置に設けられる飲料通過蓋が、提供され得る。一部の実施形態では、１つまたは複数の飲料出口３４の開口通路面積の全部のすべてを、内部玉縁封止部に配置された基準平面ＰＲとその基準平面ＰＲから径方向内向きに１．２７ｃｍ（０．５インチ）以内の位置との間の位置内に提供することが、適切であり得る。様々な実施形態では、１つまたは複数の飲料出口の少なくとも一部の開口面積が、内部玉縁封止部に配置された基準平面ＰＲと基準平面ＰＲから径方向内向きに１．０１６ｃｍ（０．４インチ）以内の位置との間に配置される飲料通過蓋が、提供され得る。様々な実施形態では、飲料泉基部４０の床６３は、細長い第２の縁壁７６に配置され得る液体ドレンを提供する床６３に下位置を備え得る。実施形態では、液体ドレンは、液体出口３４の径方向内向き位置ＲＩおよびそれに伴う共通の端部に配置され得る。様々な実施形態では、床６３は、少なくとも一部において、中空隆起唇部５４の内側部６２に向かって外向きに傾斜してもよい。
【００２９】
[0055]図３および図２１に示されるように、中空隆起唇部５４の外側唇部６０は、実施形態では飲料出口３４の径方向最内縁ＲＩにおいてであり得る、約１．０１６ｃｍ（１インチの約１０分の４、約０．４インチ）から約２．２８６ｃｍ（１インチの約１０分の９、約０．９インチ）までの範囲にある高さＨを有し得る。また、鉛直表面距離Ｖが、中空隆起唇部５４の内側部６２について、約０．６０９６ｃｍ（約０．２４インチ）から約１．７５２６ｃｍ（約０．６９インチ）までの範囲に設定され得る。蓋１３０の同様の特徴に関して、後で図２１に示される鉛直表面距離Ｖおよび関連する構造を参照されたい。実施形態では、１つまたは複数の飲料出口３４が提供され得る。実施形態では、１つまたは複数の飲料出口３４は、約０．３８７１平方センチメートル（約０．０６平方インチ）から約１．６１３平方センチメートル（約０．２５平方インチ）までの範囲の全開口面積を定め得る。実施形態では、１つまたは複数の飲料出口３４は、約０．４８３９平方センチメートル（約０．０７５平方インチ）から約１．２９０３平方センチメートル（約０．２平方インチ）までの範囲の全開口面積を定め得る。実施形態では、１つまたは複数の飲料出口３４は、約０．８３８７平方センチメートル（約０．１３平方インチ）から約１．２９０３平方センチメートル（約０．２平方インチ）までの範囲の全開口面積を定め得る。実施形態では、１つまたは複数の飲料出口は、約１．２９０３平方センチメートル（約０．２平方インチ）以下の全開口面積を定め得る。
【００３０】
[0056]図２２に示されるように、飲料通過蓋３０は、液体９９の選択された液体体積ＬＶを収容する大きさおよび形状とされる飲料泉基部４０を有してもよい。実施形態では、飲料泉基部４０は、蓋３０が４５度（４５°）の角度シータ（θ）に傾けられており、液体出口３４が封止されて閉じられており、かつ、蓋３０が外側唇部６０の限度まで液体９９で満たされている状態で測定されたとき、約４．７３ミリリットル（約０．１６液量オンス）以上の液体体積ＬＶを収容する大きさとされ得る。
【００３１】
[0057]実施形態では、飲料通過蓋３０は、蒸気ドーム１００をさらに備えてもよい。蒸気ドーム１００は、基部４４から上向きに延在する隆起側壁１０２を備え得る。実施形態では、蒸気ドームは、第１の側壁端１０４と第２の側壁端１０６との間で、少なくとも部分的に弓形の形状とされ得る。上方端１０９および下方端１１１を備え、第１の側壁端１０４から第２の側壁端１０６へと蓋をわたって延在する内部蒸気ドーム壁１０８が設けられてもよく、また、隆起側壁１０２と上方端１０９との間で延在する蒸気ドーム面１１４が設けられてもよい。
【００３２】
[0058]実施形態では、蒸気ドーム１００を備える飲料通過蓋３０は、少なくとも１つの蒸気通気泉１１０をさらに備える。各々の蒸気通気泉１１０は、少なくとも１つの蒸気案内通路１１２を備えてもよい。実施形態では、飲料通過蓋３０は、２つ以上の蒸気通気泉１１０を備え得る。様々な実施形態では、蓋３０は、Ｖ字形の構成で提供されると共に飲料通過蓋３０を横断するようにわたって延在しつつ下向きに延在する概して溝槽形状の壁１２０を備えてもよい。実施形態では、Ｖ字形壁１２０は、飲料出口３４の細長い第２の縁壁７６と平行に配向されて提供され得る。実施形態では、１つまたは複数の蒸気通路１２２は、下向きに延在するＶ字形壁１２０を通じて提供され得る。実施形態では、１つまたは複数の蒸気通路１２２のうちの少なくとも１つは、飲料出口３４から遠くに蒸気を噴出するように配向され得る。
【００３３】
[0059]ここで図７、図８、図９、図１３、および図２１を見ると、飲料通過蓋１３０についての別の実施形態が提供されている。飲料通過蓋１３０は、飲料通過蓋１３０を横断するようにわたって延在する下向き延在壁１３２を備えている。実施形態では、溝槽形状壁１３２は、Ｖ字形またはＵ字形など、飲料出口３４の細長い第２の縁壁７６と平行に配向されて提供され得る。長さＬＳのスリット１４０が、実施形態では、図８で指示されるように、円形とされた基部に対して部分的翼弦線（翼弦のような方向に延在するが、基部の縁まで延在しない）であり得る線に沿って形成される。スリット１４０は、第１の端１４２と第２の端１４４との間に、壁１３２によって形成された第１の縁１４６および第２の縁１４８に沿って設けられている。
【００３４】
[0060]図８に見られるように、バッフル１５０が提供され得る。バッフル１５０は、スリット１４０を通じた下向きへの挿入のために、長さＬＳを補完する全幅ＷＢを有する概して台形の形とされた構成で提供され得る。位置構成では、バッフル１５０が、図８および図２１に示されるように、蓋１３０に挿入される前、スリット１４０は、第１の縁１４６および第２の縁１４８がそれらを通る液体の漏れを実質的に防ぐために合わさって圧迫される第１の安定状態を形成している。別の構成では、図９、図１０、図１１、および図１２に示されるように、第１の縁１４６および第２の縁１４８が、液体の漏れを実質的に防ぐために、バッフル１５０の第１の側１５２および第２の側１５４に向かってそれぞれ圧迫される第２の安定状態が提供され得る。
【００３５】
[0061]実施形態では、図１４に示されるように、バッフル１５０は、縁固定部１６０および１６２をさらに備えてもよい。縁固定部１６０および１６２は、スリット１４０の第１の端１４２および第２の端１４４に固定して係合するための大きさおよび形とされている。実施形態では、図８に示されるように、縁固定部１６０および１６２は、バッフル１５０に切欠き１６４を備え得る。
【００３６】
[0062]実施形態では、図１４に示されるように、バッフル１５０は下方端１７０を備えてもよい。下方端は、上向きに延在する下方バッフル壁１７２を備えてもよい。下方バッフル壁１７２は、図１０、図１２、および図１４に示されるように、飲み物容器３２との組み合わせで、飲み物容器３２の底１７６の上方に液体通路１７４を定め得る。
【００３７】
[0063]図７および図１４に示されるように、飲み物容器３２は、概して円錐台形の形の内側側壁１８０を備えてもよく、このような実施形態では、バッフルは、飲み物容器の内側側壁１８０と補完する形の第１の側１８４および第２の側１８６を備え得る。実施形態では、バッフル１５０の第１の側１８４および第２の側１８６は、飲み物容器の内側側壁１８０と封止係合するためことができる形状および大きさが定められている。
【００３８】
[0064]バッフル１５０は、飲み物容器３２を少なくとも第１の室Ｃ１と第２の室Ｃ２とに分割し、このような構成では、バッフル１５０は、図１０において参照矢印１８８および１８９で見られるように、飲み物容器の液体３６を各々の室Ｃ１およびＣ２同士の間で自由に流すことができる形状および位置付けとされている。バッフルは、スリット１４０において飲料通過蓋によって事実上封止され、飲料通過蓋１３０と飲み物容器３２の液体３６との間にある第１の室Ｃ１内の蒸気Ｖ１が第２の室Ｃ２へと流れるのを防止するように位置付けられる。この方法で、各々の室Ｃ１およびＣ２と関連されるのは、少なくとも１つの蒸気案内通路１１２および／または少なくとも１つの蒸気通路１２２である。さらに、蒸気案内通路１１２および／または蒸気通路１２２は、蓋３０において、バッフル１５０のいずれかの側に配置されている。したがって、飲み物容器３２が液体３６を収容し、参照矢印１８２によって指示されるように、液体が飲料出口３４から流れ出ることができるように傾けられるとき（図１１参照）、第１の室Ｃ１内の蒸気Ｖ１は、参照矢印１９０によって指示されるように、少なくとも１つの蒸気通路１２２のうちの１つまたは複数から強制的に出される一方、飲み物容器の外側の空気は、参照矢印１９２によって指示されるように、少なくとも１つの蒸気案内通路１１２のうちの１つまたは複数を通じて第２の室Ｃ２へと同時に引き込まれる。同様に、飲み物容器３２が下に傾けられたとき、飲むのが終わった後、図１２に示されるように、蒸気Ｖ２は、参照矢印１９４によって指示されるように、１つまたは複数の蒸気案内通路１１２を通って第２の室Ｃ２から出ていく。液体３６が第１の室Ｃ１に入り込むにつれて、外側の空気は、参照矢印１９６によって指示されるように、蒸気通路１２２を通過して第１の室Ｃ１内の蒸気Ｖ１を満たす。様々な実施形態では、少なくとも１つの蒸気通路１２２は、内部玉縁封止部５０の中心線８２’に沿う平面に対して主に水平である方向に蒸気を最初に噴出するように配向され得る。
【００３９】
[0065]様々な実施形態では、蓋３０またはバッフル１５０のいずれかまたは両方は、熱可塑性プラスチック材料から作られてもよい。実施形態では、このような熱可塑性プラスチック材料は、蓋３０の真空形成に適し得る。実施形態では、バッフル１５０は、紙または板紙の選択された構成で提供され得る。
【００４０】
[0066]本明細書で開示される様々な実施形態では、飲み物カップ用の様々な先行技術の使い捨ての飲料通過蓋を用いているというよりも、コーヒーカップなどの開いた容器から使用者が飲んでいるかのように、ほとんど同じ飲み心地を使用者に提供する飲料通過蓋（３０または１３０）の設計が、本明細書において開示されている。飲み物カップ３２が通常の飲み方で傾けられるとき、液体が使用者の唇にやさしく当たることで使用者に「柔らかい」印象を与えるように、飲料泉基部４０の適切な大きさおよび形と床６３の形とを提供することと相まって、飲料出口３４の大きさおよび形を選択することによって、改善された使用者との接触部が達成される。
【００４１】
[0067]一態様では、飲むために使用されるときに幅広く提供し、液体が使用者の唇に近づくときに比較的ゆっくりとした液体表面の移動をもたらす設計が、提供される。実施形態では、これは、飲料出口から出現する液体の進路によって引き起こされる「噴水」効果をもたらす液体出口を提供することで達成される。「噴水」効果は、容器内の液体が飲料出口より高い硬度にあるときに作り出される水頭圧力によって力が供給される。液体の高さが、飲み物カップ３２が傾けられる角度によって決定されるため、飲料出口と比較して液体の高さが高くなるにつれて、そのためにより大きな水頭となる。当然ながら、水頭圧力の変化の割合、および、水頭圧力が特定の値にある期間が、飲料泉の床が液体でどれだけ早く満たされるかを決定する。噴水効果は、飲料出口３４の位置、配向、および大きさによって大きくは決定され、その飲料出口３４は、使用者の唇に対する満たすための進路の源および方向と、飲料泉を満たすために必要とされる時間とを決定する。飲料出口３４の大きさに関して、実施形態では、満たすための進路の源および方向は、飲み物カップ３２が傾けられた飲むための配向にあるとき、主に鉛直な出現する液体の噴水をもたらす。したがって、飲料出口３４の大きさは、飲み物カップ３２が飲むために使用者によって傾けられるとき、液体噴水がどれだけ遠くまで届くかを決定する。
【００４２】
[0068]飲料出口３４の適切な大きさに関して、飲料出口３４の開口自体が小さ過ぎる場合、飲料泉基部４０は十分に素早く満たされず、使用者が飲み物カップ３２を傾け過ぎる結果をもたらす可能性がある。また、飲料出口３４が小さ過ぎることは、液体噴水が高くなり過ぎる結果をもたらす可能性もあり、このような「噴水」は、急上昇し、好ましくない方法で使用者の唇に当たる可能性がある。飲料出口３４が大き過ぎると、飛び散ったりこぼれたりすることに対する蓋３０によってもたらされる保護を犠牲にする可能性がある。重要なことは、使用者による飲み物カップ３２の傾ける速さが与えられるとき、（ａ）使用者が「傾け過ぎる」ことなく、過剰な水頭圧力を作り出さないように、液体が使用者の唇に十分に早く到達する位置まで飲料泉基部４０を満たす結果となり、かつ、（ｂ）液体が使用者の唇に到達するとき、比較的穏やかな表面、つまり、乱れるというより平らな表面の液体で飲料泉基部４０を満たす結果となるように、十分な大きさである飲み口３４を提供することである。したがって、飲み物カップ３２が傾けられるとき、液体噴水の鉛直成分は、飲料泉基部４０が満たされるにつれて、使用者の唇に最も近い端である液体の先端が使用者の唇に向かって幅広くゆっくりと拡がるように、飲料泉基部４０に素早く出現するが直ぐに拡がってしまう液体を提供する。
【００４３】
[0069]さらに、飲料泉基部４０の最適な形を選択すること、および、飲料泉基部４０の飲料出口３４との相互作用が、使用者の飲み心地を高める便益をも提供し得ることがわかった。単なる例の目的として、かつ、限定する方法によらずに、実施形態では、飲料泉基部４０についての適切な形状は、概して楔形状の容積として提供できることがわかっており、その楔形状の容積は、例えば、平らに置かれた小さなオレンジ（または同様の果物）の一房とかなり同じ形の構造とされ、そのため、一房の中心が蓋を横切っており、一房の一方の側が水平で、他方の側が、一房の中心から飲料出口の底に向かって下向きに角度を付けて延在して、飲料通過蓋３０の隆起した中空唇部５４の内側部６２の形に近い弓側の形を提供する。このような形は、液体９９が中空隆起唇部５４の内側部６２に沿って示される図２２において、容易の思い描くことができる。飲料出口（飲料泉の下方領域部において円形または卵形などのもの）の下方の接線の縁を有する多くの従来技術の特許と対照的に、本明細書で開示されるような飲料通過蓋３０または１３０の開発の間の実験は、飲料出口３４の細長い底、つまり、細長い第２の縁壁７６の少なくとも一部が、飲料泉基部４０の下方領域部に沿って設けられる場合、ある先行技術の特許で提供されるような単に接線部分としてよりも、より優れた飲み心地の結果が達成されることを明らかにしている。
【００４４】
[0070]図１８、図１９、および図２０に注目すると、飲料泉基部の形および大きさについて異なる実施形態が提供される。図１８では、内部玉縁封止部５０の中心線８２’の鉛直方向高さ、または、その中心線８２’の周りの鉛直方向高さで途切れる周辺側６４を有する飲料泉基部４０が提供されている。実施形態では、中心線８２’は、環状の鍔とされた周縁４６の底縁によって定められる平面８２と平行であり得る。図１９では、内部玉縁封止部５０の中心線８２’の下方の鉛直方向高さの泉で途切れる周辺側６４’を有する飲料泉基部４０’が提供されており、また、飲料出口３４’が提供されている。このような実施形態では、飲料泉基部４０’の周辺側６４’は、内部玉縁封止部５０の中心線８２’の下方に１．２７ｃｍ（０．５インチ）を超えるべきではない。図２０では、内部玉縁封止部５０の中心線８２’の上方の鉛直方向高さで途切れる周辺側６４”を有する飲料泉基部４０”が提供されており、また、飲料出口３４”が提供されている。
【００４５】
[0071]また、飲み物カップにおける液体の量が変わるとき、使用者の唇の下方で飲料泉４０の「楔」形の空間を満たす必要のある液体の体積は変わってもよい。様々な実施形態では、飲料泉は、使用者が異なる大きさでもすするまたは飲むことを満たすことができるように、その中に十分な液体が収容できる大きさおよび形とされ得る。
【００４６】
[0072]図２１を参照することで見ることができるように、熱成形された飲料通過蓋の前述した利点を提供するために、中空隆起唇部を有する飲料通過蓋の設計において、使用中に捕えられることになり得る液体の量を最小とする実施形態が開発された。一態様では、これは、中空隆起唇部５４の外側唇部５６の内側側壁２００と、飲料出口３４の径方向最外縁ＲＯとの間の距離を、最小化または少なくとも最適化することで達成され得る。別のさらに関連する態様では、これは、飲み物カップの内側側壁と中空隆起唇部５４の内側部６２の内壁２０２との間の概して水平の距離を、最小化または少なくとも最適化することで達成され得る。実施形態では、このような寸法は、十分に深い飲料泉４０、および／または、十分に高い中空隆起唇部５４との組み合わせで提供でき、液体が飲料出口３４から出現するとき、飲料出口３４から飲料泉４０へと流れ込む液体が使用者の唇に直ぐに衝突しない。別の態様では、十分に大きい液体溜めを飲料泉４０に形成して自然な上の開いたカップのような飲み心地を作り出せるように、飲料出口３４の上方縁の下方に適切な空間があるべきである。したがって、実施形態では、（ａ）中空隆起唇部５４の外側唇部６０を外向きに延ばして、飲料出口３４と、飲料泉４０の液体高さの上方にある使用者の唇のための空間との両方を可能にすることと、（ｂ）飲み物カップ３０または１３０の中空隆起唇部５４の内側部６２を、なおも熱成形工程のための製作可能な構成のままでいくぶん急勾配にすることと（下向きに、および一部の実施形態では、わずかに内側に傾斜して）、（ｃ）中空隆起唇部５４の内側部６２内へと上向きに少なくとも一部において延び入る飲料出口３４を提供することとによって、新規の飲料通過蓋の設計が提供されている。図２１に指示されるような寸法Ｄ１、Ｄ２、およびＤ３に関して、当業者は、このような寸法が、蓋３０が置かれる飲み物容器３２の大きさに応じて変化することになることを理解することになるが、それは、暖かい飲み物および冷たい飲み物を販売する多くの小売店では、小、中、大（または、例えば、トール、グランデ、ベンティ）などの大きさが、特定の小売店の方針に応じて、同様の寸法または異なる寸法で提供され得るためである。
【００４７】
[0073]ここで図２３に注目すると、例示の飲料通過蓋３０の構造についてのさらなる詳細が、このような飲料通過蓋３０を製作するための適切な方法のより優れた視覚化を可能にする縮尺で提供されている。飲料通過蓋３０が部分的に描画されており、飲み物カップ３２の玉縁５２を覆って嵌め込む方式（図２１における干渉寸法Ｄ２を参照）で所定位置にある内部玉縁封止部５０を示している。容易な製作を可能とするために、蓋３０には、最上面２１２に沿う所定の幅の内向きに突出する肩部２１０が設けられ得る。実施形態では、最上面２１２に沿う幅は、約０．２５４ｃｍ（１インチの約１０分の１、約０．１インチ）以下であり得る。打抜型によってもたらされるかのように、線２１８によって繋げられた参照矢印２１４および２１６によって見られるように、例えば、参照矢印２１４および２１６で表される平面に沿って鉛直方向に下向きに移動する硬化金属の型を用いることで行われる切断が、余分な熱可塑性プラスチック材料を除去し、それによって縁を定めて飲料出口３４を提供するために、利用できる。飲料が通る開口のこのような打ち抜きは、熱可塑性プラスチック材料の真空成形の後の公知の作業である。しかしながら、本設計は、熱可塑性プラスチック材料を通る必要な切断の厚さが最小限とされるように、内向きに突出する肩部２１０の使用によって、飲料通過蓋のための製作工程を簡略化している。内向きに突出する肩部２１０を設けることによって、本明細書で提供される設計の十分な便益が容易に実現でき、さらにこのような蓋は、大量生産の操業で作られ得る。
【００４８】
[0074]図２３で注意すべきことは、角度アルファ（α）が、実施形態における飲料出口３４の配向について示されるように、例えば、平面８２と平面８０との間として指示されることである。内向きに突出する肩部２１０が利用されるときに角度アルファ（α）の位置が若干ずれているが、読者は、このような角度アルファ（α）の項目に関して本明細書のいずれかで説明された詳述を参照すべきである。
【００４９】
[0075]次に、図２４に注目すると、実施形態が、Ｎが正の整数であるＯ１からＯＮまでの一連の飲料出口を含んでいる。さらなる例として、一連の飲料出口３４は、Ｎが正の整数である、Ｏ１、Ｏ２、Ｏ３、ＯＮ−１からＯＮまでの一連の飲料出口で提供され得る。図２４では、飲料出口Ｏ１、Ｏ２、Ｏ３が提供されている。Ｎが正の整数である飲料出口Ｏ１、Ｏ２、Ｏ３、ＯＮ−１からＯＮまでの各々は、例えば、ｎが正の整数であるＷｉ、Ｗｉｉ、Ｗｉｉｉ、Ｗｎ−１、Ｗｎを含むＷ１の複数の区分である。また、図２４で見られるのは、長円の出口形状を有する通気通路１２２の使用である。
【００５０】
[0076]ここで図２５および図２６に注目すると、それらの図は、カップ３００用の飲料通過蓋についての実施形態を示している。図２５は、蓋３００を見下ろすようにされた上面図を提供しており、図２６は、蓋３００の下方側で見上げるように、底からの斜視を提供している。図２６に見られるように、蓋３００は、底縁３４８および内部玉縁封止部３５０を含む周縁３４６を備えた基部３４４を有する。実施形態では、周縁３４６は環状の形であり得る。基部３４４は、飲み物容器の開口端（開口端は図示されていないが、多くは円形である）に封止して係合する大きさおよび形状とされ、前述した方法で、飲み物容器の玉縁によって定められ得る。中空隆起唇部３５４が設けられ、中空隆起唇部３５４は、飲料泉基部３４０から上向きに延在する外装部３５６、外側唇部３６０、および、外側唇部３６０から下方端部３６６へと下向きかつ内向きに傾斜する内側部３６２を含む。液体を収容するための飲料泉基部３４０（図３参照）が提供される。飲料泉基部３４０は、下方端部３６６の少なくとも一部に沿う周辺側３６４から延在する床３６３を有する。少なくとも１つの飲料出口３３４が提供される。少なくとも１つの飲料出口３３４は、中空隆起唇部３５４の内側部３６２へと上向きに延在する第１の縁壁３７４によって、および、周辺側６４に近接して飲料泉基部３４０の出口部３７８に沿って延在する細長い第２の縁壁３７６によって定められ得る。
【００５１】
[0077]図２５で見られるように、飲料通過蓋３００は、飲料通過蓋３００を横断するようにわたって延在する下向き延在壁３８０を備え得る。実施形態では、溝槽形状壁３８０が、下向きに向けられたＶ字形またはＵ字形として、設けられてもよい。実施形態では、溝槽形状壁３８０が翼弦のような構成で設けられてもよい。実施形態では、溝槽形状壁３８０には、径方向において外へと延在する第１の部分３８２および第２の部分３８４が設けられてもよい。実施形態では、このような径方向に延在する部分は、円形とされた基部３４４に対しての部分的翼弦線（翼弦のような方向に延在するが、基部３４４の縁まで延在しない）であるようにして１列に並べられ得る。
【００５２】
[0078]実施形態では、スリット３８６が、第１の端３８８と第２の端３９０との間に、壁３８０によって形成された第１の縁３９２および第２の縁３９４に沿って設けられ得る。また、開口４００が、第１の通気部を定めるための第１の縁３９２の第１の縁壁４０２と、第２の通気部を定める第２の縁３９４の第２の縁壁４０４とによって定められるように、壁３８０に設けられ得る。一体で、第１の縁壁４０２および第２の縁壁４０４によって壁３８０に設けられた第１の通気部および第２の通気部は、蓋を通る蒸気の流れを可能にする。
【００５３】
[0079]様々な実施形態が、熱可塑性プラスチックなど、様々な種類のプラスチックを用いて提供され得る。様々な実施形態では、蓋と飲み物カップとの組み合わせは、それらが一回の使用だけを意図されている点において、使い捨て可能であり得る。このような使用に対して、非常に安価な熱可塑性プラスチック材料は、蓋３０の構造に適し得る。また、このような使用において、紙または板紙で製作された使い捨てのバッフル１５０が利用され得る。本明細書で教示されたような蓋の設計３０の製作を容易にするために蒸気で教示された例示の構造的な技術意外に、このような物品を製作するための工程は、技術的によく知られており、そのため、ここではさらに説明しない。しかしながら、当業者は、様々な実施形態が他の工程を用いて製作され得ることを認識しており、その結果、本発明は、任意の特定の製作の方法に限定されない。
【００５４】
[0080]前述の記載では、説明の目的のために、より自然な飲み心地を提供する飲み物容器との組み合わせで使用するための使い捨ての蓋の設計と、香りが飲む人の鼻に達するのを確保するために使い捨てのバッフルの使用をさらに含んで可能にする改良された使い捨ての蓋とについての開示された例示の実施形態の完全な理解を提供するために、多くの詳細が明記された。しかしながら、説明した詳細は、有用な実施形態を提供するために、または、選択されたかもしくは他の開示された実施形態を実施するために、必須とはされ得ない。さらに、説明の目的のために、様々な相対的な用語が使用され得る。基準の一点のみに対する用語は、全体的な限定として解釈されるように意味されておらず、代わりに、開示された実施形態の様々な態様の理解を容易にするために、前述の説明に含まれている。また、本明細書で説明された任意の方法における様々な動作または作用は、さらに、本発明を理解する上で最も有益である方法で、複数の別々の動作として説明されている可能性がある。しかしながら、説明の順番は、このような動作が必要な順番に依存していることを意味するとして解釈されるべきではない。具体的には、特定の作業が、提示の順番で正確に実施される必要は必ずしもない可能性がある。また、本発明の異なる実施形態では、１つまたは複数の動作は、同時に実施され得るか、または、他の動作が加えられ得る一方で、部分的もしくは全体的に除外され得る。また、読者は、「実施形態では」または「一実施形態では」の言い回しが繰り返し使用されていることに気が付くことになる。この言い回しは、概して、同じ実施形態に言及していないが、言及することもあり得る。最後に、「備える」、「有する」、および「含む」という用語は、文脈が他に指図しない場合、同義と考慮されるべきである。
【００５５】
[0081]前述から、新規の飲み物容器蓋と、飲み物容器蓋と共に使用するための新規のバッフルとが、本明細書において開示されていることは、当業者によって理解できる。本発明の特定の具体的な実施形態のみが示されて説明されたが、これらの実施形態によって本発明を限定する意図はない。むしろ、本発明は、説明との組み合わせで解釈され、添付の特許請求の範囲およびそれらの均等物によって定められることになる。
【００５６】
[0082]重要なことには、本明細書で説明および主張される態様および実施形態は、提供された新規の教示および利点から実質的に逸脱することなく、示されたものから改良されてもよく、それらの精神または必須の特徴から逸脱することなく、他の特定の形態で具現化されてもよい。そのため、本明細書で提示された実施形態は、すべての点において、制限または限定ではなく例示として考慮されることになる。このように、本開示は、本明細書で説明された構造と、その構造的な同等物だけでなく同等の構造とをも網羅するように意図されている。
【００５７】
[0083]多くの改良態様または変形態様が、上記の教示に鑑みて可能である。そのため、本発明に利用可能な保護は、ここで説明される特許請求の範囲、および、その法律上の均等物のみによって限定されるべきである。
【図１】
2015535779.tif 000003
【図２】
2015535779.tif 000004
【図２Ａ】
2015535779.tif 000005
【図３】
2015535779.tif 000006
【図４】
2015535779.tif 000007
【図５】
2015535779.tif 000008
【図６】
2015535779.tif 000009
【図７】
2015535779.tif 000010
【図８】
2015535779.tif 000011
【図９】
2015535779.tif 000012
【図１０】
2015535779.tif 000013
【図１１】
2015535779.tif 000014
【図１２】
2015535779.tif 000015
【図１３】
2015535779.tif 000016
【図１４】
2015535779.tif 000017
【図１５】
2015535779.tif 000018
【図１６】
2015535779.tif 000019
【図１７】
2015535779.tif 000020
【図１８】
2015535779.tif 000021
【図１９】
2015535779.tif 000022
【図２０】
2015535779.tif 000023
【図２１】
2015535779.tif 000024
【図２２】
2015535779.tif 000025
【図２３】
2015535779.tif 000026
【図２４】
2015535779.tif 000027
【図２５】
2015535779.tif 000028
【図２６】
2015535779.tif 000029
【国際調査報告】
2015535779.tif 000030
2015535779.tif 000031